【手続補正書】
【提出日】平成17年12月28日(2005.12.28)
【手続補正１】
【補正対象書類名】明細書
【補正対象項目名】発明の名称
【補正方法】変更
【補正の内容】
【発明の名称】被験者情報伝送システム及び被験者情報同期方法
【手続補正２】
【補正対象書類名】明細書
【補正対象項目名】請求項１
【補正方法】変更
【補正の内容】
【請求項１】  ネットワークを構成するいずれか１つのノードにマスタカウンタを設けると共に、前記ノード以外の所要のノードにファントムカウンタを設け、前記ファントムカウンタが設けられたノードから前記マスタカウンタが設けられたノードへカウンタ値の問合わせを行い、得られたカウンタ値と問合せに要した時間とに基づき自ノードに備えられたファントムカウンタのカウンタ値に補正を加えて前記マスタカウンタと同期させる被験者情報伝送システムであって、
被験者に関する画像信号情報を送信する第１のノードにおいては、前記被験者に関する画像信号をネットワーク伝送用の画像信号情報に変換する際に、所定情報量毎に自ノードに備えられたカウンタのカウンタ値を付加する第１の付加手段が設けられ、
前記被験者に関する生体信号情報を送信する第２のノードにおいては、前記被験者に関する生体信号をネットワーク伝送用の生体信号情報に変換する際に、所定情報量毎に自ノードに備えられたカウンタのカウンタ値を付加する第２の付加手段が設けられ、
前記ネットワークには、前記画像信号情報と前記生体信号情報を受信する第３のノードが備えられていることを特徴とする被験者情報伝送システム。
【手続補正３】
【補正対象書類名】明細書
【補正対象項目名】請求項５
【補正方法】変更
【補正の内容】
【請求項５】  ネットワークを構成するいずれか１つのノードにマスタカウンタを設けると共に、前記ノード以外の所要のノードにファントムカウンタを設け、前記ファントムカウンタが設けられたノードから前記マスタカウンタが設けられたノードへカウンタ値の問合わせを行い、得られたカウンタ値と問合せに要した時間とに基づき自ノードに備えられたファントムカウンタのカウンタ値に補正を加えて前記マスタカウンタと同期させ、
被験者に関する画像信号情報を送信する第１のノードにおいては、前記被験者に関する画像信号をネットワーク伝送用の画像信号情報に変換する際に、所定情報量毎に自ノードに備えられたカウンタのカウンタ値を付加し、
前記被験者に関する生体信号情報を送信する第２のノードにおいては、前記被験者に関する生体信号をネットワーク伝送用の生体信号情報に変換する際に、所定情報量毎に自ノードに備えられたカウンタのカウンタ値を付加し、
前記画像信号情報と前記生体信号情報を受信する第３のノードにおいては、受信した前記画像信号情報に付加されたカウンタ値と、前記生体信号情報に付加されたカウンタ値とを用いて、表示する画像と生体信号波形を同期させることを特徴とする被験者情報同期方法。
【手続補正４】
【補正対象書類名】明細書
【補正対象項目名】０００７
【補正方法】変更
【補正の内容】
【０００７】
【課題を解決するための手段】
本発明に係る被験者情報伝送システムは、ネットワークを構成するいずれか１つのノードにマスタカウンタを設けると共に、前記ノード以外の所要のノードにファントムカウンタを設け、前記ファントムカウンタが設けられたノードから前記マスタカウンタが設けられたノードへカウンタ値の問合わせを行い、得られたカウンタ値と問合せに要した時間とに基づき自ノードに備えられたファントムカウンタのカウンタ値に補正を加えて前記マスタカウンタと同期させる被験者情報伝送システムであって、被験者に関する画像信号情報を送信する第１のノードにおいては、前記被験者に関する画像信号をネットワーク伝送用の画像信号情報に変換する際に、所定情報量毎に自ノードに備えられたカウンタのカウンタ値を付加する第１の付加手段が設けられ、前記被験者に関する生体信号情報を送信する第２のノードにおいては、前記被験者に関する生体信号をネットワーク伝送用の生体信号情報に変換する際に、所定情報量毎に自ノードに備えられたカウンタのカウンタ値を付加する第２の付加手段が設けられ、前記ネットワークには、前記画像信号情報と前記生体信号情報を受信する第３のノードが備えられていることを特徴とする。
【手続補正５】
【補正対象書類名】明細書
【補正対象項目名】００１１
【補正方法】変更
【補正の内容】
【００１１】
本発明に係る被験者情報同期方法は、ネットワークを構成するいずれか１つのノードにマスタカウンタを設けると共に、前記ノード以外の所要のノードにファントムカウンタを設け、前記ファントムカウンタが設けられたノードから前記マスタカウンタが設けられたノードへカウンタ値の問合わせを行い、得られたカウンタ値と問合せに要した時間とに基づき自ノードに備えられたファントムカウンタのカウンタ値に補正を加えて前記マスタカウンタと同期させ、被験者に関する画像信号情報を送信する第１のノードにおいては、前記被験者に関する画像信号をネットワーク伝送用の画像信号情報に変換する際に、所定情報量毎に自ノードに備えられたカウンタのカウンタ値を付加し、前記被験者に関する生体信号情報を送信する第２のノードにおいては、前記被験者に関する生体信号をネットワーク伝送用の生体信号情報に変換する際に、所定情報量毎に自ノードに備えられたカウンタのカウンタ値を付加し、前記画像信号情報と前記生体信号情報を受信する第３のノードにおいては、受信した前記画像信号情報に付加されたカウンタ値と、前記生体信号情報に付加されたカウンタ値とを用いて、表示する画像と生体信号波形を同期させることを特徴とする。
【手続補正６】
【補正対象書類名】明細書
【補正対象項目名】００３４
【補正方法】変更
【補正の内容】
【００３４】
メモリ部３３には、生体信号情報が記憶された生体信号情報記憶部３３Ａと、画像信号情報が記憶された画像信号情報記憶部３３Ｂとが設けられており、生体信号情報は読出制御部３４１により読出される。読出された生体信号情報は、変換・読出部３４２及び画像信号変換マッピング部３４３へ送出される。変換・読出部３４２は、読出された生体信号情報（１パケット）からカウンタ値を取り出し、対応する画像信号情報（１画面（ピクチャ））を得るための読出制御情報に変換し、この読出制御情報を用いて対応する画像情報（１画面（ピクチャ））を読み出す。
【手続補正７】
【補正対象書類名】明細書
【補正対象項目名】００３６
【補正方法】変更
【補正の内容】
【００３６】
生体信号情報記憶部３３Ａから読出された生体信号情報は画像信号変換マッピング部３４３に到り、ここでパラレル／シリアル変換されて１画面に表示する状態のデータとされ、画像メモリ３４５に展開される。また、変換・読出部３４２により画像信号情報記憶部３３Ｂから読出され、ＭＰＥＧデータから復号化された画像信号情報（原画像信号情報）は画像信号変換マッピング部３４３に到り、ここで、表示するエリアに応じて画像メモリ３４５にマッピングされる。
【手続補正８】
【補正対象書類名】明細書
【補正対象項目名】００３８
【補正方法】変更
【補正の内容】
【００３８】
表示を開始するときには、入力部３５から、生体信号及び画像情報の表示指示入力が行われ、カウンタ値の入力がなされる。これを受けて読出制御部３４１は、対応するアドレスを生体信号情報記憶部３３Ａへ出力する。例えば、生体信号情報は、１パケット毎に生体信号情報記憶部３３Ａの順次連続するアドレスに格納されており、連続するパケットが１からカウンタ値「６」づつ歩進されたカウンタ値を有するものとする。すると、カウンタ値「７」の生体信号情報を読出す指示が入力されると、このカウンタ値「７」は、「１」、「７」、「１３」、・・・と続くカウンタ値を有するパケットの内の第２番目のパケットに対応している。この第２番目のパケットを読出すため、第２番目のアドレスを出力する。つまり、指定されたカウンタ値がどのパケットに含まれているかを検索して、対応するアドレスを求める。これにより生体信号情報記憶部３３Ａから入力部３５により指定された任意の生体信号情報を読出したことになる（Ｓ２１）。
【手続補正９】
【補正対象書類名】図面
【補正対象項目名】図４
【補正方法】変更
【補正の内容】
【図４】
2005013558.tif 000001
【手続補正１０】
【補正対象書類名】図面
【補正対象項目名】図５
【補正方法】変更
【補正の内容】
【図５】
2005013558.tif 000002
【手続補正１１】
【補正対象書類名】図面
【補正対象項目名】図７
【補正方法】変更
【補正の内容】
【図７】
2005013558.tif 000003